(57)【特許請求の範囲】
【請求項１】
背景画像を生成する背景画像生成手段と、
背景画像生成手段によって生成された背景画像と文字データを合成する合成手段と、
背景画像が合成された文字データを表示する表示手段とを備えており、
上記背景画像生成手段は、
スクロール方向に対して単位スクロール量の２倍より長い周期の輝度変化を有している背景画像を生成することを特徴とする表示装置。
【請求項２】
上記背景画像生成手段は、
スクロール方向に対して単位スクロール量の２倍より長い周期の輝度変化を有し、かつ上記データ表示領域のスクロール方向の長さの２倍に単位スクロール量を加えた長さより短い周期の輝度変化を有している背景画像を生成することを特徴とする、請求項１に記載の表示装置。
【請求項３】
背景画像を生成する背景画像生成手段と、
背景画像生成手段によって生成された背景画像に対してその輝度を含む色レベルを変化させる背景画像重畳度調整手段と、
背景画像重畳度調整手段によって生成された背景画像を文字データに重畳する画像重畳手段と、
背景画像が重畳された文字データをデータ表示領域内に表示する表示手段とを備えており、
上記背景画像重畳度調整手段は、
上記背景画像のうち、データ表示領域内の中央部に対応する部分に対しては該背景画像の色レベルの変化を小さくさせ、
上記データ表示領域内の周辺部に対応する領域に対しては、該背景画像の色レベルの変化を大きくさせることを特徴とする表示装置。
【請求項４】
背景画像を生成する背景画像生成手段と、
背景画像生成手段によって生成された背景画像に対してその輝度を含む色レベルを変化させる背景画像重畳度調整手段と、
背景画像重畳度調整手段によって生成された背景画像を文字データに重畳する画像重畳手段と、
背景画像が重畳された文字データをデータ表示領域内に表示する表示手段とを備えており、
上記背景画像重畳度調整手段は、
上記背景画像のうち、データ表示領域内のスクロール方向と逆側に偏った領域に対しては該背景画像の色レベルの変化を小さくさせ、
上記データ表示領域内のスクロール方向側に偏った領域に対しては、該背景画像の色レベルの変化を大きくさせることを特徴とする表示装置。
【請求項５】
背景画像を生成する背景画像生成手段と、
背景画像生成手段によって生成された背景画像に対してその輝度を含む色レベルを変化させる背景画像重畳度調整手段と、
背景画像重畳度調整手段によって生成された背景画像を文字データに重畳する画像重畳手段と、
背景画像が重畳された文字データ、及び操作部からの入力に応じたポインタをデータ表示領域に表示する表示手段とを備えており、
上記画像重畳手段は、
上記背景画像のうち、データ表示領域内のポインタ表示位置近傍の領域に対しては該背景画像の色レベルの変化を小さくさせ、
上記データ表示領域内のポインタ表示位置から離れた領域に対しては、該背景画像の色レベルの変化を大きくさせることを特徴とする表示装置。
【請求項６】
所定の周期の輝度変化を有する背景画像を生成する背景画像生成手段と、
背景画像生成手段によって生成された背景画像を文字データに重畳する画像重畳手段と、
スクロール中は画像重畳手段により背景画像が重畳された文字データを表示し、静止時には前記背景画像が重畳されていない文字データを表示する表示手段とを備えることを特徴とする表示装置。
【発明の詳細な説明】
【０００１】
【発明の属する技術分野】
この発明は、表形式データの表示方法および放送受信装置に関する。
【０００２】
【従来の技術】
表形式データをディスプレイ上に表示する際には、縦横に区切られた枡目の中に各項目が表示されている大きな表の一部の領域を画面上に表示し、表示される領域をスクロールさせながら任意の場所のデータを見ることができるようになっていることが多い。このとき、スクロールの移動量の単位は一行もしくは一列の項目単位である場合が一般的であり、現在の表示領域の表全体における位置は、表示されている表形式データの行番号及び列番号の表示、もしくはスクロールバーの位置によって示される。
【０００３】
図１は、従来の放送受信装置１００の構成を示している。
【０００４】
放送受信装置１００は、アンテナ２により受信された信号を選局し、復調処理及びデコード処理などを行うための受信部１０と、受信部１０からの信号を映像および音声情報に対応する信号と文字データ情報に対応する信号とに分離する分離部１２と、分離部１２から映像音声信号を受け取って、対応するカラー画像を表示可能な信号に変換するＡＶ処理部１４と、分離部１２から文字データ信号を受け取り、データバスＢＳを介して、ＣＰＵ２２との間で、データのやり取りを行いつつ、文字データを表示可能な信号形式に変換するデータ処理部１６とを備えている。
【０００５】
放送受信装置１００は、また、ＡＶ処理部１４から出力された映像音声信号に対応する表示信号と、データ処理部１６から与えられる文字データ信号に対する表示信号とを合成するオンスクリーンディスプレイ処理部１８と、合成された画像を表示するディスプレイ４０とを備える。
【０００６】
放送受信装置１００は、さらに、各部を制御するＣＰＵ２２と、ユーザＩＦ２４と、タイマー２６と、通信部２０とを備えている。このような放送受信装置１００では、文字データが表形式で表示されることがある。
【０００７】
【発明が解決しようとする課題】
ところで、人間は、視野が限定されたり、視界に全体像を捕らえきれないほど巨大なものを観察したりするとき、見える領域における対象物の速度と移動時間から移動量を推定し、全体像を把握しようとする性質をもっている。
【０００８】
しかし、上述したように、スクロールの移動量の単位が一行もしくは一列の単位項目である場合、スクロールに伴って移動する線や文字情報は、スクロールの移動量に対して高い空間周波数成分で構成されているため、人間にとって十分な運動知覚が得られない問題がある。
【０００９】
具体的には、表形式データは、各セルのデータを順次閲覧したり、特定のデータを検索したりするといった使い方がなされることが多いが、このような使用法においては、一度見たデータを繰り返して見ないように一度見た領域の位置を記憶することは重要であるが、検索済み領域を直感的に把握しにくいため、同じ領域のデータを複数回繰り返して検索してしまうといったことが起こりやすい。このことが表形式データを見づらくしている大きな要因となっている。
【００１０】
この発明の目的は、表形式データの表示画像をスクロールさせたときに、表形式データの移動方向および移動量を認識しやすくし、表示領域が表全体のどの位置を表示しているのかを把握させやすくすることにある。
【００１１】
また、この発明の目的は、表形式データの表示画像をスクロールさせたときに、表形式データの移動方向および移動量を認識しやすくし、表示領域が表全体のどの位置を表示しているのかを把握させやすくなるとともに、元の表形式データの良好な視認性を保持できるようにすることにある。
【００１２】
【課題を解決するための手段】
本発明のある態様は、表示装置に関する。この表示装置は、背景画像を生成する背景画像生成手段と、背景画像生成手段によって生成された背景画像と文字データを合成する合成手段と、背景画像が合成された文字データを表示する表示手段とを備えており、上記背景画像生成手段は、スクロール方向に対して単位スクロール量の２倍より長い周期の輝度変化を有している背景画像を生成することを特徴とする。
【００１３】
上記背景画像生成手段は、スクロール方向に対して単位スクロール量の２倍より長い周期の輝度変化を有し、かつ、上記データ表示領域のスクロール方向の長さの２倍に単位スクロール量を加えた長さより短い周期の輝度変化を有している背景画像を生成するものであっても良い。
【００１４】
本発明の他の態様も表示装置に関する。この表示装置は、背景画像を生成する背景画像生成手段と、表形式データを生成する表形式データ生成手段と、表形式データの外周囲に表示される輪郭画像を生成する輪郭画像生成手段と、輪郭画像生成手段によって生成された輪郭画像と表形式データ生成手段によって生成された表形式データとを合成する画像合成手段と、画像合成手段によって得られた、輪郭画像が合成された表形式データを表示する表示手段とを備えており、上記輪郭画像生成手段は、スクロール方向に対して表形式データの単位スクロール量の２倍より長い周期であってかつ上記データ表示領域のスクロール方向の長さの２倍に単位スクロール量を加えた長さより短い周期の輝度変化を有している輪郭画像を生成することを特徴とする。
【００１５】
本発明の他の態様も表示装置に関する。この表示装置は、背景画像を生成する背景画像生成手段と、背景画像生成手段によって生成された背景画像を文字データに重畳する画像重畳手段と、背景画像が重畳された文字データをデータ表示領域内に表示する表示手段とを備えており、上記画像重畳手段は、上記背景画像のうち、データ表示領域内の中央部に対応する部分に対しては該背景画像の色レベルの変化を小さくさせ、上記データ表示領域内の周辺部に対応する領域に対しては、該背景画像の色レベルの変化を大きくさせることを特徴とする。
【００１６】
本発明の他の態様も表示装置に関する。この表示装置は、背景画像を生成する背景画像生成手段と、背景画像生成手段によって生成された背景画像を文字データに重畳する画像重畳手段と、背景画像が重畳された文字データをデータ表示領域内に表示する表示手段とを備えており、上記画像重畳手段は、上記背景画像のうち、データ表示領域内のスクロール方向と逆側に偏った領域に対しては該背景画像の色レベルの変化を小さくさせ、上記データ表示領域内のスクロール方向側に偏った領域に対しては、該背景画像の色レベルの変化を大きくさせることを特徴とする。
【００１７】
本発明の他の態様も表示装置に関する。この表示装置は、背景画像を生成する背景画像生成手段と、背景画像生成手段によって生成された背景画像を文字データに重畳する画像重畳手段と、背景画像が重畳された文字データ、及び操作部からの入力に応じたポインタをデータ表示領域に表示する表示手段とを備えており、上記画像重畳手段は、上記背景画像のうち、データ表示領域内のポインタ表示位置近傍の領域に対しては該背景画像の色レベルの変化を小さくさせ、上記データ表示領域内のポインタ表示位置から離れた領域に対しては、該背景画像の色レベルの変化を大きくさせることを特徴とする。
【００１８】
本発明の他の態様も表示装置に関する。この表示装置は、所定の周期の輝度変化を有する背景画像を生成する背景画像生成手段と、背景画像生成手段によって生成された背景画像を文字データに重畳する画像重畳手段と、スクロール中は画像重畳手段により背景画像が重畳された文字データを表示し、静止時には前記背景画像が重畳されていない文字データを表示する表示手段とを備えることを特徴とする。
【００２５】
【発明の実施の形態】
以下、図面を参照して、この発明を放送受信装置に適用した場合の実施の形態について説明する。
【００２６】
〔Ａ〕第１の実施の形態の説明
【００２７】
〔１〕放送受信装置２００の構成の説明
【００２８】
図２は、放送受信装置２００の構成を示している。
【００２９】
アンテナ２により受信されたＲＦ信号は、受信部１０において選局され、復調処理及びデコード処理などが行われて、分離部１２に与えられる。分離部１２は、受信部１０からの信号を映像音声情報に対応する信号と、文字データ情報に対応する信号とに分離する。
【００３０】
ＡＶ処理部１４は、分離部１２から映像音声信号を受け取って、対応するカラー画像を表示可能な信号に変換する。一方、データ処理部１６は、分離部１２から文字データ信号を受け取り、データバスＢＳを介して、ＣＰＵ２２との間で、データのやり取りを行いつつ、文字データを表示可能な信号形式に変換する。
【００３１】
背景画像生成部３０は、データ処理部１６によって表形式で表示される文字データの表示制御情報と、その表示部分の表全体における位置情報とを、データバスＢＳを介してＣＰＵ２２から受け、それらの情報に合わせて、後に説明するような正弦波状の輝度変化を持つ背景画像に応じた表示信号を出力する。
【００３２】
背景画像重畳部３２は、データ処理部１６から与えられる文字データ信号に対する表示信号と、背景画像生成部３０から与えられる背景画像の表示信号とを合成して出力する。オンスクリーンディスプレイ処理部（以下、ＯＳＤ処理部という）１８は、ＡＶ処理部１４から出力された映像音声信号に対する表示信号と、背景画像重畳部３２から与えられる表示信号とを合成して出力する。
【００３３】
なお、放送受信装置２００は、ユーザ側から放送局に対して、データの送信を行うための通信部２０と、外部装置、例えばホームサーバ用のＨＤＤ装置などの外部蓄積デバイス（図示せず）や、外部入力機器であるリモコン（あるいはキーボード等）との間でデータ授受を行うためのユーザインターフェイス２４や、放送受信装置２００の動作時刻を管理するためのタイマ２６を備えている。
【００３４】
〔２〕背景画像の生成方法についての説明
【００３５】
背景画像生成部３０が、データ処理部１６で生成された表形式データの表示制御情報と、その表示部分の表全体における位置情報を用いて、縦方向および横方向に正弦波状の輝度変化を持つ背景画像を生成する方法について説明する。
【００３６】
データ処理部１６が文字データ信号に対する表示信号を生成する際に生成される表形式データの表示制御情報と、その表示部分の表全体における位置情報とは、具体的には次のような形式の情報である。
【００３７】
（ａ）  表形式データの表示制御情報
Lax ：画面上での表形式データの表示領域の水平方向の長さ
Lay ：画面上での表形式データの表示領域の垂直方向の長さ
Lux ：水平方向の単位スクロール長
Luy ：垂直方向の単位スクロール長
【００３８】
（ｂ）  表示部分の表全体における位置情報
Pt1(Xt1,Yt1)：表形式データの全体（表全体）のうち、表示される領域の表示開始座標である。
【００３９】
図３は実際の表示画面を示し、図４は表形式データの全体を示している。図４の表形式データの全体の中の斜線がつけられた「表示される領域Ａ」が、図３の表示画面中で斜線がつけられた「表形式データ表示領域Ｂ」に表示される。
【００４０】
図４に示すように、表全体の左上を原点とし、右方向にＸ、下方向にＹをとった座標系(X-Y) を全体座標系と呼ぶことにする。表示部分の表全体における位置情報であるPt1(Xt1,Yt1)は、全体座標系で表されている。一方、図３に示すように、表形式データ表示領域の左上を原点とし、右方向にＸ、下方向にＹをとった座標系(X'-Y') を部分座標系と呼ぶことにする。
【００４１】
背景画像生成部３０は、図３の表形式データ表示領域に表示される背景画像内の画素の位置を部分座標系(X'-Y') を用いてP(X',Y')で表した場合、位置P(X',Y')の画素が、次式（１）、（２）、（３）に基づいて算出される輝度値Ｉを有する背景画像を生成する。なお、IyはY ' 方向の輝度分布、IxはX'方向の輝度分布を表している。また、表示信号における最大輝度値を１とする。
【００４２】
３Luy ≦Lay のとき, Iy＝sin(2 π×(Yt1+Y')/Lay)
３Luy ＞Lay のとき, Iy＝sin(2 π×(Yt1+Y')/(3 ×Luy))     …(1)
【００４３】
３Lux ≦Lax のとき, Ix＝sin(2 π×(Xt1+X')/Lax)
３Lux ＞ Laxのとき, Ix＝sin(2 π×(Xt1+X')/(3 ×Lux))     …(2)
【００４４】
I ＝(Ix ×Iy+1)/2     …(3)
【００４５】
なお、背景画像内の各画素の輝度を求めるための計算式については、上記式（１）、（２）、（３）に示したものに限定されず、生成される背景画像が、単位スクロール量の２倍より長い周期であって、かつ、スクロール方向の画面領域の長さの２倍に単位スクロール量を加えた長さより短い周期の輝度変化を有するようになる式であれば、他の式を用いてもよい。
【００４６】
ここで、背景画像が単位スクロール量の２倍より長い周期変化を有する必要があるのは、単位スクロール量の２倍以下の周期変化を有する場合、一般的なラスタースキャン方式のディスプレイによって離散的な運動として呈示されると、例えば、最初、図５（ａ）に示すような周期的な画像が表示されている場合において、次に図５（ｂ）および（ｃ）に示すような画像が表示されると、白丸で示す点Ａは実際には右方向に運動しているにもかかわらず、黒丸で示す点Ｂの方向に運動しているように見える。これは、元の位置から点Ａより距離的に近い点Ｂが元の位置の対応点として選択される確率が高いためである。つまり、背景画像が単位スクロール量の２倍より長い周期成分を有する必要があるのは、スクロールの方向が実際の方向と逆の方向として認識されないようにするためである。
【００４７】
また、背景画像がスクロール方向の画面領域の長さの２倍に単位スクロール量を加えた長さより短い周期の輝度変化を有する必要があるのは、なだらかな輝度変化を持つ画像からはエッジを検出することが困難であり、エッジの検出ができなければ運動を知覚することはできないからである。つまり、背景画像がスクロール方向の画面領域の長さの２倍に単位スクロール量を加えた長さより短い周期の輝度変化を有する必要があるのは、スクロールに基づく運動が明確に知覚されるようにするためである。
【００４８】
以上の方法で、背景画像を生成することによって、表全体における表示部分の位置に対応した、正弦波状の輝度変化を持つ背景画像を生成することが可能である。
【００４９】
図６、図７、図８は、表形式データ（全体）と、表示される領域それぞれに対応する背景画像との具体例を示している。図６は、背景画像が正弦波状の輝度変化を有する画像である場合を、図７は、背景画像が所定周期毎にマーカーが現れる画像である場合の例を、図８は、背景画像が縞模様の画像である場合の例を示している。
【００５０】
いずれの例においても、背景画像としては、縦方向および横方向に、単位スクロール長の３倍の長さの周期の輝度変化を有するものが用いられている。
【００５１】
なお、スクロール中のみ上記のような背景画像が表示され、静止時には表形式のデータのみが表示されるようにしてもよい。
【００５２】
ところで、上記第１の実施の形態のように、スクロール量に合わせた運動知覚を生み出す背景画像を表形式データの表示画像に重畳した場合には、表形式データの移動量を認識しやすくなるが、表形式データの視認性を悪化させるという問題がある。
【００５３】
例えば、表形式データの表示画像が、低輝度の背景に高輝度の文字で書かれたものであり、表形式データの移動量を認識しやすくするために表形式データの表示画像に重畳される背景画像が、正弦波状の輝度変化を持つ画像であるとすると、表形式データのみを表示した場合は、背景と文字の輝度が大きく異なるため、視認しやすいが、背景画像を重畳した場合は、背景画像の高輝度の部分では、背景画像も表形式データの文字も高輝度になるため、文字を視認しにくくなる。
【００５４】
また、重畳する背景画像の色レベルの変化を小さくすることで、表形式データの良好な視認性を確保することは可能であるが、逆に、背景画像そのものを視覚的に捉えにくくなるため、表形式データの移動量を認識することが難しくなる。
【００５５】
以下、スクロール量に合わせた運動知覚を生み出し、表示領域が表全体のどの位置を表示しているのかを把握させやすくしながら、元の表形式データの良好な視認性を確保することができるようにした実施の形態（第２〜第５の実施の形態）について説明する。
【００５６】
〔Ｂ〕第２の実施の形態の説明
【００５７】
図９は、放送受信装置３００の構成を示している。図９において、図２と同じものには、同じ符号を付してその説明を省略する。
【００５８】
この放送受信装置３００は、図２の放送受信装置２００と比べて、背景画像重畳度調整部３４が追加されている点で異なっている。
【００５９】
背景画像生成部３０は、上記第１の実施の形態と同様に方法で背景画像を生成する。背景画像生成部３０で生成された背景画像に対する表示信号は、背景画像重畳度調整部３４に入力される。背景画像重畳度調整部３４は、背景画像生成部３０から入力された背景画像の表示信号に対し、背景画像の中央部付近の輝度変化を抑えるように色レベルの調整処理を行い、色レベル調整後の背景画像に対する表示信号を背景画像重畳部３２に出力する。
【００６０】
背景画像重畳部３２は、データ処理部１６から与えられる文字データ信号に対する表示信号と、背景画像重畳度調整部３４から与えられる色レベル調整後の背景画像の表示信号とを合成して、ＯＳＤ処理部１８に出力する。
【００６１】
以下、背景画像重畳度調整部３４によって行われる、背景画像に対する色レベルの調整処理について説明する。
【００６２】
図３に示すように、背景画像生成部３０で生成された背景画像の横幅をLax 、縦幅をLay 、各頂点の座標をP0(0,0),P1(Lax,0),P2(Lax,Lay),P3(0,Lay) とする。このとき、背景画像生成部３０から入力される背景画像における" 表形式データの表示領域" 内の各座標位置P(X',Y')の輝度をＩとして、以下の式（４）に従って計算される輝度値Ｉ’をもつ色レベルの調整後の背景画像を生成する。
【００６３】
I'(X',Y') ＝I(X',Y')(1-sin( π(X'/(2×Lax)+1/4))
×sin(π(Y'/(2×Lay)+1/4))…（４）
【００６４】
背景画像重畳部３２が、例えば、図６で示されるような、正弦波状の輝度変化を有する画像であとすると、背景画像重畳度調整部３４による色レベル調整後の背景画像は、図１０に示すようになる。
【００６５】
図１０から分かるように、背景画像の中央部付近の輝度変化が抑えられるので、表形式データの表示領域内の中央部付近に表示された表形式データの文字情報などの視認性を確保することができる。
【００６６】
また、表形式データの表示領域内の周辺部では背景画像の輝度変化が大きくなるので、スクロール時の移動量を知覚させやすくすることができる。
【００６７】
人間が文字情報等を認識する場合は、視野の中央部付近を使用し、物体の全体的な運動を把握する場合は視野全体を使用するため、以上の表示方法により、表形式データの視認性と、スクロールの移動量の知覚を効果的に両立させることができる。
【００６８】
なお、輝度計算の式については、上記式（４）に示したものに限定されず、表形式データに重畳される背景画像として、その中央部付近の輝度変化が抑えられ、かつその周辺部ではその輝度変化が大きくなるような背景画像が得られる式であれば、他の式を用いてもよい。
【００６９】
〔Ｃ〕第３の実施の形態の説明
【００７０】
図１１は、放送受信装置４００の構成を示している。図１１において、図２と同じものには、同じ符号を付してその説明を省略する。
【００７１】
この放送受信装置４００は、図２の放送受信装置２００と比べて、背景画像重畳度調整部３６が追加されている点で異なっている。また、この背景画像重畳部３６には、第２の実施の形態と異なり、データバスＢＳを介してＣＰＵ２２からスクロールの方向を示す情報が入力される。
【００７２】
背景画像生成部３０は、上記第１の実施の形態と同様に方法で背景画像を生成する。背景画像生成部３０で生成された背景画像に対する表示信号は、背景画像重畳度調整部３６に入力される。背景画像重畳度調整部３６は、背景画像生成部３０から入力された背景画像の表示信号と、データバスＢＳを介してＣＰＵ２２から伝達されるスクロールの方向を示す情報とに基づいて、背景画像に対してスクロールの方向に応じた色レベルの調整処理を行い、色レベル調整後の背景画像に対する表示信号を背景画像重畳部３２に出力する。
【００７３】
背景画像重畳部３２は、データ処理部１６から与えられる文字データ信号に対する表示信号と、背景画像重畳度調整部３６から与えられる色レベル調整後の背景画像の表示信号とを合成して、ＯＳＤ処理部１８に出力する。
【００７４】
以下、背景画像重畳度調整部３６によって行われる、背景画像に対するスクロールの方向に応じた色レベルの調整処理について説明する。
【００７５】
スクロール方向を示す情報（スクロール方向情報）としては、この例では、”０”、”１”、”２”、”３”の４種類の数値が用いられる。各数値の意味は、次の通りである。
【００７６】
”０”：表形式データが下から上へ移動していく場合
”１”：表形式データが画面に向かって左から右へ移動していく場合
”２”：表形式データが上から下へ移動していく場合
”３”：表形式データが画面に向かって右から左へ移動していく場合
【００７７】
背景画像重畳度調整部３６は、スクロールによって新しい文字情報が出現する箇所付近では、背景画像の輝度変化が抑えられるように、背景画像生成部３０によって生成された背景画像に対して色レベルの調整処理を行う。
【００７８】
図３に示すように、背景画像生成部３０で生成された背景画像の横幅をLax 、縦幅をLay 、各頂点の座標をP0(0,0),P1(Lax,0),P2(Lax,Lay),P3(0,Lay) とする。このとき、背景画像生成部３０から入力される背景画像における" 表形式データの表示領域" 内の各座標位置P(X',Y')の輝度をＩとして、スクロール方向情報の値に応じて、以下の式（５）〜（８）に従って計算される輝度値Ｉ’をもつ色レベルの調整後の背景画像を生成する。
【００７９】
スクロール方向情報＝０のとき
I'(X',Y') ＝I(X',Y') (1-sin(π(X'/(2×Lax)＋1/4))
×sin(π(Y'/2 ×Lay)＋1/8)))          …（５）
スクロール方向情報＝１のとき
I'(X',Y') ＝I(X',Y') (1-sin(π(X'/(2×Lax)＋3/8)
×sin(π(Y'/2 ×Lay)＋1/4)))          …（６）
スクロール方向情報＝２のとき
I'(X',Y') ＝I(X',Y') (1-sin(π(X'/(2Lax)＋1/4))
×sin(π(Y'/2 ×Lay)＋3/8)))          …（７）
スクロール方向情報＝３のとき
I'(X',Y') ＝I(X',Y') (1-sin(π(X'/(2×Lax)＋1/8)
×sin(π(Y'/2 ×Lay)＋1/4)))          …（８）
【００８０】
図１２は、表形式データが下から上へ移動していく場合に表示される背景画像の例を、図１３は、表形式データが画面に向かって左から右へ移動していく場合に表示される背景画像の例を、図１４は、表形式データが上から下へ移動していく場合に表示される背景画像の例を、図１５は、表形式データが画面に向かって右から左へ移動していく場合に表示される背景画像の例を、それぞれ示している。
【００８１】
以上のような処理によって、表形式データの表示領域において、スクロールによって新しい文字情報が出現する個所の付近では背景画像の輝度変化が抑えられるので、スクロールによって新しい文字情報が出現する個所の付近に表示された表形式データの視認性を確保することができる。また、スクロールによって新しい文字情報が出現する個所から離れた部分では背景画像の輝度変化が大きくなるので、スクロール時の移動量を知覚させやすくすることができる。
【００８２】
人間が、スクロールをしながら文字情報などを順に認識する場合には、次々と新しく出現する文字情報に注意を払うため、スクロールによって新しい文字情報が出現する個所に視野の中心を置くことが多い。
【００８３】
また、人間が文字情報などを認識する場合は、視野の中央付近を使用し、物体の全体的な運動を把握する場合は視野全体を使用する。従って、以上の表示方法により、表形式データの視認性と、スクロールの移動量の知覚を効果的に両立させることができる。
【００８４】
なお、輝度計算の式については、上記式（５）〜（８）に示したものに限定されず、表形式データに重畳される背景画像として、スクロールによって新しい文字情報が出現する個所の付近でその輝度変化が抑えられ、かつスクロールによって新しい文字情報が出現する個所から離れた部分ではその輝度変化が大きくなるような背景画像が得られる式であれば、他の式を用いてもよい。
【００８５】
〔Ｄ〕第４の実施の形態の説明
【００８６】
第４の実施の形態による放送受信装置の構成は、第３の実施の形態の形態での放送受信装置４００（図１１参照）の構成と同じであるが、背景画像重畳度調整部３６の動作が、第３の実施の形態とは異なっている。
【００８７】
データ処理部１６は、ユーザの操作に従って画面上を移動するポインタの位置を計算し、そのポインタと文字データの表示可能な信号形式を生成して、背景画像重畳部３２に出力する。ユーザの操作は、ＣＰＵ２２によってデータバスＢＳを介して、ユーザＩＦ２４からデータ処理部１６に伝えられる。
【００８８】
更に、データ処理部１６は、第１の実施の形態で説明したように、表形式データの表示制御情報とその表示部分の表全体における位置情報をデータバスＢＳを介して、背景画像生成部３０に送るとともに、ポインタ位置情報をデータバスＢＳを介して、背景画像重畳度調整部３６に送る。
【００８９】
背景画像生成部３０は、上記第１の実施の形態と同様に方法で背景画像を生成する。背景画像生成部３０で生成された背景画像に対する表示信号は、背景画像重畳度調整部３６に入力される。背景画像重畳度調整部３６は、背景画像生成部３０から入力された背景画像の表示信号と、データバスＢＳを介してデータ処理部１６から伝達されるポインタ位置情報とに基づいて、背景画像に対してポインタ位置情報に応じた色レベルの調整処理を行い、色レベル調整後の背景画像に対する表示信号を背景画像重畳部３２に出力する。
【００９０】
背景画像重畳部３２は、データ処理部１６から与えられる文字データ信号に対する表示信号と、背景画像重畳度調整部３６から与えられる色レベル調整後の背景画像の表示信号とを合成して、ＯＳＤ処理部１８に出力する。
【００９１】
以下、背景画像重畳度調整部３６によって行われる、背景画像に対するポインタ位置情報に応じた色レベルの調整処理について説明する。
【００９２】
背景画像重畳度調整部３６は、表ポインタが表示された付近では、背景画像の輝度変化が抑えられるように、背景画像生成部３０によって生成された背景画像に対して色レベルの調整処理を行う。
【００９３】
図３に示すように、背景画像生成部３０で生成された背景画像の横幅をLax 、縦幅をLay 、各頂点の座標をP0(0,0),P1(Lax,0),P2(Lax,Lay),P3(0,Lay) とする。また、ポインタ位置情報の具体的な形式を、背景画像の表形式データの表示領域内におけるポインタの座標位置 Ppt(Xpt',Ypt') とする。
【００９４】
このとき、背景画像生成部３０から入力される背景画像における" 表形式データの表示領域" 内の各座標位置P(X',Y')の輝度をＩとして、以下の式（９）に従って計算される輝度値Ｉ’をもつ色レベルの調整後の背景画像を生成する。
【００９５】
I'(X',Y') ＝I(X',Y')(1-sin( π((X'-Xpt')/(2 ×Lax)＋1/2))
×sin(π((Y'-Ypt')/(2 ×Lay)+1/2)))           …（９）
【００９６】
図１６は、以上の処理によって表示される背景画像の例を示している。以上のような処理によって、表形式データの表示領域において、ポインタが表示された付近では背景画像の輝度変化が抑えられるので、ポインタ付近に表示された表形式データの文字情報などの視認性を確保することができる。また、ポインタから離れた部分では背景画像の輝度変化が大きくなるので、スクロール時の移動量を知覚させやすくすることができる。
【００９７】
人間が、ポインタを操作し、スクロールをしながら文字情報などを認識する場合には、自らが操作しているポインタ付近の文字情報に注意を払うため、ポインタ付近に視野の中心を置くことが多い。また、人間が文字情報などを認識する場合は、視野の中央付近を使用し、物体の全体的な運動を把握する場合は視野全体を使用する。従って、以上の表示方法により、表形式データの視認性と、スクロールの移動量の知覚を効果的に両立させることができる。
【００９８】
なお、輝度計算の式については、上記式（９）に示したものに限定されず、表形式データに重畳される背景画像として、表示されたポインタの付近でその輝度変化が抑えられ、かつ表示されたポインタから離れた部分ではその輝度変化が大きくなるような背景画像が得られる式であれば、他の式を用いてもよい。
【００９９】
〔Ｅ〕第５の実施の形態の説明
【０１００】
第５の実施の形態による放送受信装置の構成は、第１の実施の形態での放送受信装置２００（図２参照）の構成と同じであるが、背景画像生成部３０の動作が、第１の実施の形態とは異なっている。
【０１０１】
背景画像生成部（輪郭画像生成手段）３０は、後述するような背景画像（輪郭画像）に対する表示信号を生成する。背景画像生成部３０で生成された背景画像に対する表示信号は、背景画像重畳部３２に入力される。背景画像重畳部（画像合成手段）３２は、データ処理部１６から与えられる文字データ信号に対する表示信号と、背景画像生成部３０から与えられる背景画像の表示信号とを合成して、ＯＳＤ処理部１８に出力する。
【０１０２】
図１７は実際の表示画面を示している。また、図１８は表形式データの全体を示している。また、図１９は、表形式データ全体に対応する背景画像の全体を示している。
【０１０３】
図１８の表形式データの全体の中の斜線がつけられた「表示される領域Ａ」が、図１７の表示画面中で斜線がつけられた「表形式データ表示領域Ｂ」に表示される。また、図１９の背景画像の全体のうち、表形式データとして「表示される領域Ａ」に対応する矩形領域Ａ１と、その領域Ａ１より少し大きい矩形領域Ａ２とに挟まれた矩形枠状の領域Ｃ（表示される背景領域Ｃ）内の背景画像が、図１７の表示画面中の「表形式データ表示領域Ｂ」の外周囲の矩形枠状の背景表示領域Ｄに表示される。
【０１０４】
図１８の表形式データの全体の中の「表示される領域Ａ」と、図１９の背景画像の全体のうち「表示される背景領域Ｃ」とは、スクロールによって同様に移動し、必ず相対的に同じ位置関係を保つ。
【０１０５】
つまり、背景画像生成部３０は、図１９の領域Ｃに対応する矩形枠状の背景画像を生成する。なお、生成される背景画像内の各画素の輝度値Ｉは、第１の実施の形態と同様な方法で求められる。
【０１０６】
この実施の形態では、表示された表形式データの周囲にのみ背景画像が表示されるので、表形式データの文字情報などの視認性を確保することができるとともに、スクロール時の移動量を知覚させやすくすることができる。
【０１０７】
人間が文字情報などを認識する場合は、視野の中央付近を使用し、物体の全体的な運動を把握する場合は視野全体を使用するため、以上の表示方法により、元の表形式データの視認性と、スクロールの移動量の知覚を効果的に両立させることができる。
【０１０８】
なお、上記第１〜第５の実施の形態では、データ放送が同時に行われているテレビジョン放送を表示する放送受信装置に本発明を適用した場合について説明したが、本発明はこのような場合に限定されるようなことなく、表形式データを表示するデータ表示装置全般に適用することが可能である。
【０１０９】
【発明の効果】
この発明によれば、表形式データの表示画像をスクロールさせたときに、表形式データの移動方向および移動量を認識しやすくし、表示領域が表全体のどの位置を表示しているのかを把握させやすくなる。
【０１１０】
また、この発明によれば、表形式データの表示画像をスクロールさせたときに、表形式データの移動方向および移動量を認識しやすくし、表示領域が表全体のどの位置を表示しているのかを把握させやすくなるとともに、元の表形式データの良好な視認性を保持できるようになる。
【図面の簡単な説明】
【図１】従来の放送受信装置１００の構成を示すブロック図である。
【図２】第１の実施の形態である放送受信装置２００の構成を示すブロック図である。
【図３】表示画面の所定の表示領域に表形式データの一部が表示された状態を示す模式図である。
【図４】表形式データの全体を示す模式図である。
【図５】背景画像が単位スクロール量の２倍より長い周期変化を有する必要がある理由を説明するための模式図である。
【図６】表形式データ（全体）と、表示される領域それぞれに対応する背景画像との具体例を示す模式図である。
【図７】背景画像の他の具体例を示す模式図である。
【図８】背景画像のさらに他の具体例を示す模式図である。
【図９】第２の実施の形態である放送受信装置３００の構成を示すブロック図である。
【図１０】第２の実施の形態の背景画像重畳度調整部３４による色レベル調整後の背景画像の一例を示す模式図である。
【図１１】第３の実施の形態である放送受信装置４００の構成を示すブロック図である。
【図１２】表形式データが下から上へ移動していく場合に表示される背景画像の例を示す模式図である。
【図１３】表形式データが画面から向かって左から右へ移動していく場合に表示される背景画像の例を示す模式図である。
【図１４】表形式データが上から下へ移動していく場合に表示される背景画像の例を示す模式図である。
【図１５】表形式データが画面から向かって右から左へ移動していく場合に表示される背景画像の例を示す模式図である。
【図１６】第４の実施の形態の背景画像重畳度調整部３６による色レベル調整後の背景画像の一例を示す模式図である。
【図１７】第５の実施の形態での実際の表示画面を示す模式図である。
【図１８】第５の実施の形態での表形式データの全体を示す模式図である。
【図１９】第５の実施の形態での表形式データ全体に対応する背景画像の全体を示す模式図である。
【符号の説明】
２  アンテナ
１０  受信部
１２  分離部
１４  ＡＶ処理部
１６  データ処理部
１８  ＯＳＤ処理部
２２  ＣＰＵ
３０  背景画像生成部
３２  背景画像重畳部
３４、３６  背景画像重畳度調整部
４０  ディスプレイ
２００、３００、４００  放送受信装置
【図１】
0004311944.tif 000002
【図２】
0004311944.tif 000003
【図３】
0004311944.tif 000004
【図４】
0004311944.tif 000005
【図５】
0004311944.tif 000006
【図６】
0004311944.tif 000007
【図７】
0004311944.tif 000008
【図８】
0004311944.tif 000009
【図９】
0004311944.tif 000010
【図１０】
0004311944.tif 000011
【図１１】
0004311944.tif 000012
【図１２】
0004311944.tif 000013
【図１３】
0004311944.tif 000014
【図１４】
0004311944.tif 000015
【図１５】
0004311944.tif 000016
【図１６】
0004311944.tif 000017
【図１７】
0004311944.tif 000018
【図１８】
0004311944.tif 000019
【図１９】
0004311944.tif 000020